(57)【要約】      （修正有）【課題】ハンドジェスチャー又は図形で操作するタッチコントロールロック回路を提供する。【解決手段】四つのタッチコントロールポイントが正方形を構成し、並びに正方形の中心に一つのタッチコントロールポイントが置かれ、使用者が手指でタッチする位置を検出し、並びに電子信号を出力するタッチパネルと、該タッチパネルの出力した電子信号を受信し、並びに該電子信号を演算処理した後に使用者の手指タッチ位置の実際値とタッチ順序を獲得するマイクロコントロールユニットと、ハンドジェスチャー或いは図形の正確なデータを保存する。さらに、該マイクロコントロールユニットの獲得した使用者の手指のタッチ位置の実際値とタッチ順序を獲得し、該タッチ位置の実際値が有効値であるか否かを判断し、並びに該タッチ順序がハンドジェスチャー或いは図形の正確なデータに符合するか否かを比較判断し、並びに制御命令を応用装置に送出するタッチコントロール命令処理ユニットと、を包含する。【選択図】図４
0003175947.tif 000002
【実用新案登録請求の範囲】
【請求項１】
ハンドジェスチャー又は図形で操作するタッチコントロールロック回路構造において、四つのタッチコントロールポイントが正方形を構成し、並びに正方形の中心に一つのタッチコントロールポイントが置かれ、使用者が手指でタッチする位置を検出し、並びに電子信号を出力するタッチパネルと、
該タッチパネルの出力した電子信号を受信し、並びに該電子信号を演算処理した後に使用者の手指タッチ位置の実際値とタッチ順序を獲得するマイクロコントロールユニットと、
ハンドジェスチャー或いは図形の正確なデータを保存し、並びに該マイクロコントロールユニットの獲得した使用者の手指のタッチ位置の実際値とタッチ順序を獲得し、該タッチ位置の実際値が有効値であるか否かを判断し、並びに該タッチ順序がハンドジェスチャー或いは図形の正確なデータに符合するか否かを比較判断し、並びに制御命令を応用装置に送出するタッチコントロール命令処理ユニットと、
を包含する、
該応用装置はセイフティーボックス、住居或いはオフィスのプッシュボタン式電子ロック、アクセスコントローラーであることを特徴とする、ハンドジェスチャー又は図形で操作するタッチコントロールロック回路構造。
【請求項２】
請求項１記載のハンドジェスチャー又は図形で操作するタッチコントロールロック回路構造において、該タッチコントロール命令処理ユニットは該マイクロコントロールユニット内部にビルトインされたことを特徴とする、ハンドジェスチャー又は図形で操作するタッチコントロールロック回路構造。
【請求項３】
請求項１記載のハンドジェスチャー又は図形で操作するタッチコントロールロック回路構造において、該タッチコントロール命令処理ユニットは保存装置を具備することを特徴とする、ハンドジェスチャー又は図形で操作するタッチコントロールロック回路構造。
【請求項４】
請求項１記載のハンドジェスチャー又は図形で操作するタッチコントロールロック回路構造において、該保存装置はフラッシュメモリ或いは電気的消去可能ＲＯＭのいずれかとされることを特徴とする、ハンドジェスチャー又は図形で操作するタッチコントロールロック回路構造。
【請求項５】
請求項１記載のハンドジェスチャー又は図形で操作するタッチコントロールロック回路構造において、該タッチパネルは抵抗膜式或いは静電容量式のいずれかとされることを特徴とする、ハンドジェスチャー又は図形で操作するタッチコントロールロック回路構造。
【考案の詳細な説明】
【技術分野】
【０００１】
本考案はハンドジェスチャー又は図形で操作するタッチコントロールロック回路構造に係り、特に、タッチコントロールロックが設置され安全防護スイッチとされ、使用者が正確なハンドジェスチャー或いは図形を入力しなければ、該タッチコントロールロックをアンロックできず、使用者が該ハンドジェスチャー或いは図形を容易に記憶できる。
【背景技術】
【０００２】
タッチパネルの起源は、１９７０年に米軍が軍事用途に開発したことに始まり、１９８０年代に、技術が民間に移転され、各種用途が発展した。伝統的な電子計算装置（例えばコンピュータ）の入力方式は、キーボード或いはマウス等の周辺設備を入力インタフェースとしているが、これらの周辺入力装置の体積は過大であって携帯しにくく、電子製品の薄型化の大きな障害となる。薄型化電子装置の要求のため、タッチパネルはポータブル電子製品にあって、次第に消費者の注目を集め、頭角を表してきた。このほか、タッチパネルは個人のポータブル情報製品に応用されるほかにも、応用領域は情報家電、公共情報通信設備、オフィスオートメーション設備、情報収集設備、及び工業設備等の領域に拡張され、これによりタッチパネルの研究発展は、近年、電子産業発展の重心になりつつある。
【０００３】
一般にタッチコントロール装置のほとんどは、タッチパネル及び家電製品のスイッチへの応用であり、多方面への応用はいまだ実現しておらず、本考案はさらに多くの応用を可能とする技術手段を提供する。
【考案の概要】
【考案が解決しようとする課題】
【０００４】
本考案の目的は、伝統的なダイアル式或いはボタン式のセイフティーボックスロックのアンロックの代わりに採用されて、より良好な安全性を提供することにある。
【０００５】
本考案の別の目的は、一般の住居或いはオフィスのプッシュボタン式電子ドアロックの代わりに採用されて、より良好な安全性を提供することにある。
【０００６】
本考案の別の目的は、アクセスコントローラーのタッチコントロール命令入力装置とされて、命令入力が容易でスピーディーな長所を具備する。
【０００７】
本考案の別の目的は、簡単なジェスチャー命令を煩瑣なマルチキー入力装置の代わりに利用することにある。
【課題を解決するための手段】
【０００８】
上述の目的を達成するため、本考案は一種のハンドジェスチャー又は図形で操作するタッチコントロールロック回路構造を提供し、それは、
四つのタッチコントロールポイントが正方形を構成し、並びに正方形の中心に一つのタッチコントロールポイントが置かれ、使用者が手指でタッチする位置を検出し、並びに電子信号を出力するタッチパネルと、
該タッチパネルの出力した電子信号を受信し、並びに該電子信号を演算処理した後に使用者の手指タッチ位置の実際値とタッチ順序を獲得するマイクロコントロールユニットと、
ハンドジェスチャー或いは図形の正確なデータを保存し、並びに該マイクロコントロールユニットの獲得した使用者の手指のタッチ位置の実際値とタッチ順序を獲得し、該タッチ位置の実際値が有効値であるか否かを判断し、並びに該タッチ順序がハンドジェスチャー或いは図形の正確なデータに符合するか否かを比較判断し、並びに制御命令を応用装置に送出するタッチコントロール命令処理ユニットと、
を包含する。
該応用装置はセイフティーボックス、住居或いはオフィスのプッシュボタン式電子ロック、アクセスコントローラー。
【考案の効果】
【０００９】
本考案は伝統的なダイアル式或いはプッシュボタン式のセイフティーボックスロックのロックに代わり使用され、より良好な安全性を提供する。また本考案は、一般の住居或いはオフィスのプッシュボタン式電子ドアロックの代わりに採用されて、より良好な安全性を提供する。また、本考案は、簡単なジェスチャー命令を煩瑣なマルチキー入力装置の代わりに利用する。上述の応用は、タッチコントロール装置市場で極めて高い商業価値を有する。
【図面の簡単な説明】
【００１０】
【図１】本考案のハンドジェスチャー又は図形で操作するタッチコントロールロックの機能ブロック図である。
【図２】本考案が使用するタッチパネル構造図である。
【図３Ａ】図２のタッチパネルで描かれる図形の実施例図である。
【図３Ｂ】図２のタッチパネルで描かれる図形の実施例図である。
【図３Ｃ】図２のタッチパネルで描かれる図形の実施例図である。
【図３Ｄ】図２のタッチパネルで描かれる図形の実施例図である。
【図３Ｅ】図２のタッチパネルで描かれる図形の実施例図である。
【図３Ｆ】図２のタッチパネルで描かれる図形の実施例図である。
【図４】本考案のハンドジェスチャー或いは図形でタッチコントロールロックを操作する方法のフローチャートである。
【考案を実施するための形態】
【００１１】
本考案に対し、よりご理解いただくため、以下に図面を参照し、具体的な実施例を提示して本考案の詳細な構造、及びその連結関係について説明を行う。
【００１２】
図１は本考案のハンドジェスチャー又は図形で操作するタッチコントロールロックの機能ブロック図である。それは、タッチパネル、マイクロコントロールユニット、タッチコントロール命令処理ユニットを包含する。該タッチパネルの種類は抵抗膜式或いは静電容量式のいずれかとされ、複数のタッチコントロールポイントが設置されて、使用者が手指でタッチする位置を検出し、並びに電子信号を出力する。該マイクロコントロールユニットは、該タッチパネルの出力した電子信号を受信し、並びに該電子信号を演算処理した後に使用者の手指タッチ位置の実際値とタッチ順序を獲得する。該タッチコントロール命令処理ユニットは、ハンドジェスチャー或いは図形の正確なデータを保存し、並びに該マイクロコントロールユニットの獲得した使用者の手指のタッチ位置の実際値とタッチ順序を獲得し、該タッチ位置の実際値が有効値であるか否かを判断し、並びに該タッチ順序がハンドジェスチャー或いは図形の正確なデータに符合するか否かを比較判断し、並びに制御命令を応用装置に送出する。該応用装置はコンピュータ、セイフティーボックス、住居或いはオフィスのプッシュボタン式電子ロック、電子玩具のタッチコントロール命令入力装置、アクセスコントローラー、及び複雑なマルチプッシュボタン入力装置のいずれかとされる。電子ドアロックに対する制御命令に関しては、もし入力ハンドジェスチャー或いは図形が正確であれば、開門、閉門の動作を行うことができ、入力エラーの時は、防衛或いは警報発生の動作を行ない、応用装置によって異なる選択機能を設置できる。
【００１３】
図２は本考案が使用するタッチパネル構造図である。そのタッチパネルは、実施例において５個のタッチコントロールポイントを具備し、５個のタッチコントロールポイントの配列は、外部の四つのタッチコントロールポイントが正方形を構成し、並びに正方形の中心に一つのタッチコントロールポイントが置かれ、これらの５個のタッチコントロールポイント（ａ，ｂ，ｃ，ｄ，ｅ）は使用者のハンドジェスチャーの違いにより、極めて多種類の異なる変化の図形を形成可能である。図３Ａ−図３Ｆは、図２のタッチパネルで描かれる図形の実施例図である。例えば、図３Ａは、タッチコントロールポイント順序（ｃ，ｄ，ｅ）を利用し、正方向三角形を描いている。図３Ｂは、タッチコントロールポイント順序（ａ，ｄ，ｅ，ｂ）を利用し、Ｕ字形を描いている。図３Ｃは、タッチコントロールポイント順序（ａ，ｄ，ｃ，ｂ）を利用し、Ｖ字形を描いている。図３Ｄは、タッチコントロールポイント順序（ａ，ｂ，ｃ）を利用し、逆方向三角形を描いている。図３Ｅは、タッチコントロールポイント順序（ａ，ｄ，ｅ）を利用し、Ｌ字形を描いている。図３Ｆは、タッチコントロールポイント順序（ｄ，ａ，ｃ，ｅ，ｂ）を利用し、Ｎ字形を描いている。以上は説明の例であり、本考案はタッチコントロールポイントの数量と描き出せる図形に制限はなく、タッチパネルが二つ以上のタッチコントロールポイントを有すれば（マトリクス配列としてもよい）、その描き出せる全てのハンドジェスチャー或いは図形は、いずれも本考案の保護の範疇に属する。描き出される複数のタッチコントロールポイント経路にも制限はなく、例えば、（ａ，ｂ，ｃ）の３点を描き出す必要がある場合、正確な経路はｂを開始点とし、ｃを第２点に設定し、且つａを第３点としなければ、正確に制御命令を伝送できないように設定することができる。さらに、タッチコントロールの図形も重複して描き出すことが可能で、例えば図３Ａの（ｃ，ｄ，ｅ）の正方向三角形は重複して３回描き出されなければ、正確に制御命令を伝送できず、これもまた本考案の応用の実施方法の一つである。
【００１４】
図４は本考案のハンドジェスチャー或いは図形でタッチコントロールロックを操作する方法のフローチャートであり、それは、以下の５１から５４のステップを包含する。
５１：使用者が手指でタッチパネルの複数のタッチコントロールポイントに接触し、並びに特定ハンドジェスチャー或いは図形を形成することで、電子信号を送出するステップ。
５２：マイクロコントロールユニットを利用して該タッチパネルの電子信号を処理し、並びに該電子信号が有効な入力であるか否かを判断するステップ、有効な入力であれば、ステップ５３を実行し、無効な入力であれば、ステップ５１を実行する。
５３：該マイクロコントロールユニットを利用して入力されたハンドジェスチャー或いは図形が有効な入力であるか否かを判断するステップ、有効な入力であれば、ステップ５４を実行し、無効な入力であれば、ステップ５１を実行する。
５４：タッチコントロール命令処理ユニットの保存するハンドジェスチャー或いは図形の正確なデータをキャプチャし、並びに入力されたハンドジェスチャー或いは図形と対比し、並びに該入力されたハンドジェスチャー或いは図形が有効な入力であるか否かを判断するステップ、有効な入力であれば、ステップ５５を実行し、無効な入力であれば、ステップ５１を実行する。
５５：制御命令を応用装置に送出して対応する動作を行わせるステップ、このステップの実行装置は該マイクロコントロールユニット或いは該タッチコントロール命令処理ユニットのいずれかとされる。
【符号の説明】
【００１５】
１  タッチパネル
ａ，ｂ，ｃ，ｄ，ｅ  タッチコントロールポイント
２  マイクロコントロールユニット
３  タッチコントロール命令処理ユニット
４  応用装置
【図１】
0003175947.tif 000003
【図２】
0003175947.tif 000004
【図３Ａ】
0003175947.tif 000005
【図３Ｂ】
0003175947.tif 000006
【図３Ｃ】
0003175947.tif 000007
【図３Ｄ】
0003175947.tif 000008
【図３Ｅ】
0003175947.tif 000009
【図３Ｆ】
0003175947.tif 000010
【図４】
0003175947.tif 000011